(57)【要約】      （修正有）【課題】オーディオ装置を確実に仮保持し得るようにする。【解決手段】インパネ１に、オーディオ設置部４を形成し、その側面５に、ブラケット６が、オーディオ装置３の側面から車幅方向２の外へと、上下方向７へ延びる取付面部９を有し、オーディオ設置部の側部に、ブラケットの取付面部が車両前後方向１１の後方から当接可能な受面部１３が形成され、インパネの受面部とブラケットの取付面部との間に、車両前後方向の後方からネジ１５を螺着可能なネジ孔１６，１７が設けられ、受面部と取付面部との間に、車両前後方向の後方へ延びてオーディオ装置を車幅方向と上下方向の位置決めロケートピン１８とピン孔１９が設けられた車載用オーディオ装置取付部構造で、受面部に、車両前後方向の後方への爪形状部２６を設け、取付面部に、受面部と取付面部との当接状態で、爪形状部が係止の爪係止部３５を設ける。【選択図】図５
2008302760.tif 000002
【特許請求の範囲】
【請求項１】
インストルメントパネルに、オーディオ装置を設置可能なオーディオ設置部が形成され、
オーディオ装置の側面に、取付用ブラケットが取付けられると共に、該取付用ブラケットが、オーディオ装置の側面からほぼ車幅方向の外方へ張出すと共にほぼ上下方向へ延びる取付面部を有し、
オーディオ設置部の側部に、取付用ブラケットの取付面部が車両前後方向のほぼ後方から当接可能な受面部が形成され、
インストルメントパネルの受面部と取付用ブラケットの取付面部との間に、車両前後方向のほぼ後方からネジを螺着可能なネジ孔がそれぞれ設けられると共に、
前記受面部と取付面部との間に、車両前後方向のほぼ後方へ延びてオーディオ装置を車幅方向および上下方向に位置決め可能なロケートピンおよびピン孔がそれぞれ設けられた車載用オーディオ装置取付部構造において、
前記受面部に、車両前後方向のほぼ後方へ延びる爪形状部を設け、
前記取付面部に、受面部と取付面部との当接状態で、爪形状部が係止可能な爪係止部を設けたことを特徴とする車載用オーディオ装置取付部構造。
【発明の詳細な説明】
【技術分野】
【０００１】
この発明は、車載用オーディオ装置取付部構造に関するものである。
【背景技術】
【０００２】
自動車などの車両には、車室内の前部にインストルメントパネルが設けられている。このインストルメントパネルのほぼ車幅方向の中央部には、通常、オーディオ装置などが内蔵されている（例えば、特許文献１参照）。
【０００３】
そのために、図６、図７に示すように、インストルメントパネル１には、オーディオ装置３を設置可能なオーディオ設置部４が形成されている。
【０００４】
このオーディオ設置部４は、例えば、凹部や、穴部や、凹部と穴部との組合形状などとされている。
【０００５】
そして、オーディオ装置３の側面５には、取付用ブラケット６が取付けられる。この取付用ブラケット６は、オーディオ装置３の側面５からほぼ車幅方向２の外方へ張出すと共にほぼ上下方向７へ延びる取付面部９を有している。
【０００６】
また、オーディオ設置部４は、その周縁部に、取付用ブラケット６の取付面部９が車両前後方向１１のほぼ後方から当接可能な受面部１３が形成されている。
【０００７】
そして、インストルメントパネル１の受面部１３と取付用ブラケット６の取付面部９との間には、締結部として、車両前後方向１１のほぼ後方からネジ１５を螺着可能なネジ孔１６，１７がそれぞれ設けられている。
【０００８】
更に、受面部１３と取付面部９との間には、位置決め部として、車両前後方向１１のほぼ後方へ延びてオーディオ装置３を車幅方向２および上下方向７に位置決め可能なロケートピン１８およびピン孔１９がそれぞれ設けられている。
【０００９】
このような構成によれば、インストルメントパネル１に形成されたオーディオ設置部４に、車両前後方向１１のほぼ後方からオーディオ装置３を挿入配置して、インストルメントパネル１の受面部１３に取付用ブラケット６の取付面部９を車両前後方向１１のほぼ後方から当接させることにより、取付用ブラケット６の取付面部９に形成されたピン孔１９にインストルメントパネル１の受面部１３から突設されたロケートピン１８が挿入されるため、位置決めが行われる。これにより、インストルメントパネル１の受面部１３と取付用ブラケット６の取付面部９との間に形成されたネジ孔１６，１７が合致されるので、この状態で、ネジ孔１６，１７に車両前後方向１１のほぼ後方からネジ１５を螺着することにより、オーディオ装置３とインストルメントパネル１とが車体に共締め固定される。
【特許文献１】特開平０８−２９５１５８
【発明の開示】
【発明が解決しようとする課題】
【００１０】
しかしながら、上記オーディオ装置取付構造では、オーディオ装置３の重心がロケートピン１８の位置よりも後方に有る場合が多く、このような場合に、オーディオ設置部４にオーディオ装置３を配置してからネジ１５を螺着するまでの間に手を離すと、オーディオ装置３が後方へ転んでしまうため、組付性が悪いという問題があった。
【課題を解決するための手段】
【００１１】
上記課題を解決するために、請求項１に記載された発明では、インストルメントパネルに、オーディオ装置を設置可能なオーディオ設置部が形成され、オーディオ装置の側面に、取付用ブラケットが取付けられると共に、該取付用ブラケットが、オーディオ装置の側面からほぼ車幅方向の外方へ張出すと共にほぼ上下方向へ延びる取付面部を有し、オーディオ設置部の側部に、取付用ブラケットの取付面部が車両前後方向のほぼ後方から当接可能な受面部が形成され、インストルメントパネルの受面部と取付用ブラケットの取付面部との間に、車両前後方向のほぼ後方からネジを螺着可能なネジ孔がそれぞれ設けられると共に、前記受面部と取付面部との間に、車両前後方向のほぼ後方へ延びてオーディオ装置を車幅方向および上下方向に位置決め可能なロケートピンおよびピン孔がそれぞれ設けられた車載用オーディオ装置取付部構造において、前記受面部に、車両前後方向のほぼ後方へ延びる爪形状部を設け、取付面部に、受面部と取付面部との当接状態で、爪形状部が係止可能な爪係止部を設けたことを特徴としている。
【発明の効果】
【００１２】
請求項１の発明によれば、上記構成により、以下のような作用効果を得ることができる。即ち、オーディオ設置部にオーディオ装置を配置して、受面部と取付面部とを当接状態にすると、受面部に設けた爪形状部が、取付面部に設けた爪係止部に係止されることにより、オーディオ装置が確実に仮保持されるので、オーディオ装置の重心の位置がどこに有っても、オーディオ装置が後方へ転ぶことがなくなり、オーディオ装置から手を離して作業を行うことが可能となる。以て、組付性を格段に向上することができる。
【発明を実施するための最良の形態】
【００１３】
以下、本発明を具体化した実施例について、図示例と共に説明する。
【実施例】
【００１４】
図１〜図５は、この発明の実施例を示すものである。
【００１５】
なお、インストルメントパネルなどの構成については、図６などを用いて説明したものと基本的にほぼ同様なので、必要に応じてこの図面などを参照すると共に、これに対する記載などを以てこの実施例の説明とすることができる。この際、同一ないし均等な部分については、同一の符号を付すようにしている。但し、構成の異なる部分については、図１〜図５に拠るものとする。
【００１６】
まず、構成について説明する。
【００１７】
自動車などの車両には、車室内の前部に、図６に示すような、インストルメントパネル１が設けられている。このインストルメントパネル１のほぼ車幅方向２の中央部には、通常、オーディオ装置３などが内蔵されている。このオーディオ装置３は、規格化された大きさを有する直方体形状を呈している。
【００１８】
そのために、インストルメントパネル１には、オーディオ装置３を収容・設置可能なオーディオ設置部４が形成されている。
【００１９】
このオーディオ設置部４は、例えば、凹部や、穴部や、凹部と穴部との組合形状などとされている。
【００２０】
そして、図１、図２に示すように、オーディオ装置３の（両）側面５には、取付用ブラケット６が取付けられる。この取付用ブラケット６は、オーディオ装置３の側面５からほぼ車幅方向２の外方へ張出すと共にほぼ上下方向７へ延びる取付面部９を有している。この取付面部９は、オーディオ装置３の側面５に対して、ほぼ面直に張出されている。なお、取付面部９は、垂直又は垂直に対して若干後傾している。尚、後述する転び防止用仮保持部２５を有するため、垂直に対して若干後傾していても問題ない。（図４参照）。
【００２１】
また、オーディオ設置部４は、その周縁部に、取付用ブラケット６の取付面部９と対応して、取付面部９が車両前後方向１１のほぼ後方から当接可能な受面部１３が形成されている。
【００２２】
そして、インストルメントパネル１の受面部１３と取付用ブラケット６の取付面部９との間には、締結部として、車両前後方向１１のほぼ後方からネジ１５を螺着可能なネジ孔１６，１７がそれぞれ設けられている（図５参照。以下同様）。
【００２３】
更に、受面部１３と取付面部９との間には、位置決め部として、車両前後方向１１のほぼ後方へ延びてオーディオ装置３を車幅方向２および上下方向７に位置決め可能なロケートピン１８およびピン孔１９がそれぞれ設けられている。
【００２４】
ロケートピン１８は、受面部１３に設けられ、ピン孔１９は取付面部９に設けられている。このロケートピン１８の断面およびピン孔１９は、ほぼ車幅方向２を長軸とし、ほぼ上下方向７を短軸とする、長円形又は楕円形状を呈している。
【００２５】
なお、以上の構成は、上記した従来例のものとほぼ同様である。
【００２６】
そして、以上のような基本構成に対し、この実施例のものでは、図１〜図５に示すように、受面部１３と取付面部９との間に、転び防止用仮保持部２５を設ける。
【００２７】
この転び防止用仮保持部２５として、受面部１３に、車両前後方向１１のほぼ後方へ延びる爪形状部２６を設ける。
【００２８】
この爪形状部２６は、図３、図４に示すように、車両前後方向１１のほぼ後方へ延びる爪本体部２７と、この爪本体部２７の後方端側に形成された爪部２８とを備えている。この場合、爪部２８は、ほぼ車幅方向２の外方に向けて形成される（外向爪）と共に、後方から順に導入テーパ部２９と、係止面３１とを有している。この爪形状部２６は、受面部１３から一体に突設される。即ち、爪形状部２６は、インストルメントパネル１と一体に成形されている。この爪形状部２６は周囲部分を孔部にすることによりインストルメントパネル１と一体に形成することができ、スライド型を簡略化することができる。なお、受面部１３には、スライド型を取出すための開口部３２が形成される。図３、図４上には、二点鎖線にて、スライド型による型割状況が示されている。
【００２９】
これに対し、取付面部９には、受面部１３と取付面部９との当接状態で、爪形状部２６が係止可能な爪係止部３５を設ける。
【００３０】
この爪係止部３５は、例えば、切欠部や孔部などとされる（この場合には、切欠部とされている）。この爪係止部３５は、爪形状部２６と対応する位置に設けられる。この場合、この爪係止部３５および爪形状部２６は、ロケートピン１８およびピン孔１９に対し、若干内方の位置に設けられる。また、この爪係止部３５および爪形状部２６は、ロケートピン１８およびピン孔１９に対し、若干上方の位置に設けられる。すなわち爪係止部３５および爪形状部２６は、レイアウト上、成立する位置でなるべく上方に設ける事が好ましい。
【００３１】
次に、この実施例の作用について説明する。
【００３２】
インストルメントパネル１に形成されたオーディオ設置部４に、車両前後方向１１のほぼ後方からオーディオ装置３を挿入配置して、インストルメントパネル１の受面部１３に取付用ブラケット６の取付面部９を車両前後方向１１のほぼ後方から当接させることにより、取付用ブラケット６の取付面部９に形成されたピン孔１９にインストルメントパネル１の受面部１３から突設されたロケートピン１８が挿入されるため、位置決めが行われる。これにより、インストルメントパネル１の受面部１３と取付用ブラケット６の取付面部９との間に形成されたネジ孔１６，１７が合致されるので、この状態で、ネジ孔１６，１７に車両前後方向１１のほぼ後方からネジ１５を螺着することにより、オーディオ装置３とインストルメントパネル１とが車体に共締め固定される。
【００３３】
オーディオ設置部４にオーディオ装置３を配置してからネジ１５を螺着するまでの間に手を離すと、オーディオ装置３が後方へ転ぶおそれがあるが、この実施例のものでは、受面部１３に設けた爪形状部２６が、取付面部９に設けた爪係止部３５に係止されることにより、オーディオ装置３が確実に仮保持されることとなる。
【００３４】
このように、この実施例によれば、インストルメントパネル１に、オーディオ装置３を設置可能なオーディオ設置部４が形成され、オーディオ装置３の側面５に、取付用ブラケット６が取付けられると共に、取付用ブラケット６が、オーディオ装置３の側面５からほぼ車幅方向２の外方へ張出すと共にほぼ上下方向７へ延びる取付面部９を有し、オーディオ設置部４の側部に、取付用ブラケット６の取付面部９が車両前後方向１１のほぼ後方から当接可能な受面部１３が形成され、インストルメントパネル１の受面部１３と取付用ブラケット６の取付面部９との間に、車両前後方向１１のほぼ後方からネジ１５を螺着可能なネジ孔１６，１７がそれぞれ設けられると共に、受面部１３と取付面部９との間に、車両前後方向１１のほぼ後方へ延びてオーディオ装置３を車幅方向２および上下方向７に位置決め可能なロケートピン１８およびピン孔１９がそれぞれ設けられた車載用オーディオ装置取付部構造であって、受面部１３に、車両前後方向１１のほぼ後方へ延びる爪形状部２６を設け、取付面部９に、受面部１３と取付面部９との当接状態で、爪形状部２６が係止可能な爪係止部３５を設けることにより、以下のような作用効果を得ることができる。
【００３５】
即ち、オーディオ設置部４にオーディオ装置３を配置して、受面部１３と取付面部９とを当接状態にすると、受面部１３に設けた爪形状部２６が、取付面部９に設けた爪係止部３５に係止されることにより、オーディオ装置３が確実に仮保持されるので、オーディオ装置３の重心の位置がどこに有っても、オーディオ装置３が後方へ転ぶことがなくなり、オーディオ装置３から手を離して作業を行うことが可能となる。以て、組付性を格段に向上することができる。
【００３６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。
【図面の簡単な説明】
【００３７】
【図１】本発明の実施例にかかる車載用オーディオ装置取付部構造の拡大斜視図である。
【図２】図１を手前側から見た図である。
【図３】図１の仮保持部を上方から見た拡大側方断面図である。
【図４】図１の仮保持部を側方から見た拡大側方断面図である。
【図５】図１の分解斜視図である。
【図６】従来例にかかる車載用オーディオ装置取付部構造の全体的な分解斜視図である。
【図７】図６の取付状態における拡大斜視図である。
【符号の説明】
【００３８】
１    インストルメントパネル
２    車幅方向
３    オーディオ装置
４    オーディオ設置部
５    側面
６    取付用ブラケット
７    上下方向
９    取付面部
１１  車両前後方向
１３  受面部
１５  ネジ
１６  ネジ孔
１７  ネジ孔
１８  ロケートピン
１９  ピン孔
２６  爪形状部
３５  爪係止部
【図１】
2008302760.tif 000003
【図２】
2008302760.tif 000004
【図３】
2008302760.tif 000005
【図４】
2008302760.tif 000006
【図５】
2008302760.tif 000007
【図６】
2008302760.tif 000008
【図７】
2008302760.tif 000009